(57)【要約】【課題】軽く且つ移動可能であって、調理器具の内部を局部的に簡単に照明できるように、簡単に鍋等の調理器具に装着できる調理器具用照明装置を提供する。【解決手段】固体電解質層の一面側に形成されたアノード層と前記固体電解質層の他面側に形成されたカソード層とから成る燃料電池２４と、燃料電池２４のアノード層が鍋１４を加熱するガスコンロ１０の火炎１２の一部に晒される位置に配設されるように、燃料電池２４の位置を調整する位置調整部材としてのリード線２２と、前記アノード層が火炎１２に晒されたとき、燃料電池２４に発生する起電力によって点灯され、鍋１４内を照明するＬＥＤ２０と、ＬＥＤ２０とリード線２２とを、鍋１４の縁にフック部１６ａによって着脱自在に装着する装着部材１６とを具備する調理器具用照明装置。【選択図】図１
2008177063.tif 000002
【特許請求の範囲】
【請求項１】
固体電解質層の一面側に形成されたアノード層と前記固体電解質層の他面側に形成されたカソード層とから成る燃料電池と、
前記燃料電池のアノード層が調理器具を加熱する火炎の一部に晒される位置に配設されるように、前記燃料電池の位置を調整する位置調整部材と、
前記アノード層が前記火炎に晒されたとき、前記燃料電池に発生する起電力によって点灯され、前記調理器具内を照明する照明具と、
前記照明具と前記位置調整部材とを、前記調理器具に着脱自在に装着する装着部材とを具備する調理器具用照明装置。
【請求項２】
調理器具を加熱する火炎が、調理器具が掛けられたガスコンロの火炎である請求項１記載の調理器具用照明装置。
【請求項３】
ガスコンロが、燃料ガスが充填されたカセットボンベが内装されているカセットガスコンロである請求項２記載の調理器具用照明装置。
【請求項４】
燃料電池の位置を調整する位置調整部材が、前記燃料電池と照明具とを電気的に接続し、且つ曲折された所定形状を保形できるリード線の一部である請求項１〜３のいずれか一項記載の調理器具用照明装置。
【請求項５】
照明具が、ＬＥＤである請求項１〜４のいずれか一項記載の調理器具用照明装置。
【発明の詳細な説明】
【技術分野】
【０００１】
本発明は調理器具用照明装置に関し、更に詳細には燃料電池を電源に用い、調理器具内を照明する調理器具用照明装置に関する。
【背景技術】
【０００２】
キャンプ等のアウトドア用の照明装置として汎用されているランタンを用いて発電することが下記特許文献１に提案されている。
このランタンを図４に示す。図４に示すランタンでは、器具台部１００内に設けられているタンク内には、ホワイトガソリン等の液体燃料が貯留されている。この液体燃料は、器具台部１００内に設けられた調整器からバーナーチューブ１０２を介してガラスグローブ１０６で囲まれたバーナー部１０４に供給される。バーナー部１０４に供給された液体燃料は気化しマントル１０８に接触して火炎が形成される。かかる火炎に燃料電池１１０のアノード層側が晒されて起電力が発生する。
【特許文献１】特開２００６−２６０８３０号公報
【発明の開示】
【発明が解決しようとする課題】
【０００３】
図４に示すランタンは、火炎が放つ明かりを照明として用いると共に、燃料電池で発電された電気も照明等に用いることができる。しかも、ランタンでは、安定した火炎を形成でき、燃料電池での起電力も安定している。
しかし、ランタンは、それが設置されている空間部全体を照明する照明具であるため、調理している鍋内のみを照明するような局部的照明には不適当である。
このため、鍋内を照明する位置に設けられたＬＥＤ等の照明具を、燃料電池で発生した起電力によって点灯することにより、鍋内を局所的に照明することは可能である。
しかしながら、ランタンの火炎で燃料電池内に発生した起電力によって照明具を点灯して、鍋内を局所的に照明する手段は、ランタンの照明が不要な日中でも、ランタンに点灯しない限り、鍋内を照明することはできない。
また、住宅の台所等は、電灯等によって台所全体が照明されているが、調理している鍋等の内部を局部的に照明したい場合がある。この場合、通常、所定箇所を局部的に照明する局部照明装置を用いるが、従来の局部照明装置は所定箇所に固定されているものが普通であるため、移動不可能である。
これに対し、蓄電池が内装された懐中電灯は、移動可能であり、調理器具の内部を局所的に照明可能であるが、内装された蓄電池のために重く、調理器具に所定箇所に装着することは困難である。
そこで、本発明は、従来の照明装置の有する上記欠点を解消し、軽く且つ移動可能であって、調理器具の内部を局部的に簡単に照明できるように、簡単に鍋等の調理器具に装着できる調理器具用照明装置を提供することを目的とする。
【課題を解決するための手段】
【０００４】
本発明者等は、調理器具用照明装置の電源として、鍋等の調理器具の加熱に用いる火炎の一部を加熱源及び燃料源に用いることのできる燃料電池を用いれば、容易に調理器具を加熱しつつ、調理器具内を局部照明できるものと考え検討した結果、本発明に到達した。
すなわち、本発明は、固体電解質層の一面側に形成されたアノード層と前記固体電解質層の他面側に形成されたカソード層とから成る燃料電池と、前記燃料電池のアノード層が調理器具を加熱する火炎の一部に晒される位置に配設されるように、前記燃料電池の位置を調整する位置調整部材と、前記アノード層が前記火炎に晒されたとき、前記燃料電池に発生する起電力によって点灯され、前記調理器具内を照明する照明具と、前記照明具と前記位置調整部材とを、前記調理器具に着脱自在に装着する装着部材とを具備する調理器具用照明装置にある。
【０００５】
かかる本発明において、調理器具を加熱する火炎を、調理器具が掛けられたガスコンロの火炎とすることによって、容易に調理器具を加熱できる。
このガスコンロとして、燃料ガスが充填されたカセットボンベが内装されているカセットガスコンロを用いることによって、キャンプ等のアウトドア用或いは地震等の非常時の非常用の調理器具用照明装置として用いることができる。
また、燃料電池の位置を調整する位置調整部材として、前記燃料電池と照明具とを電気的に接続し、且つ曲折された所定形状を保形できるリード線の一部を好適に用いることができる。
尚、照明具としては、消費電力の少ないＬＥＤを好適に用いることができる。
【発明の効果】
【０００６】
本発明に係る調理器具用照明装置によれば、装着部材によって調理器具に装着された位置調整部材によって、燃料電池のアノード層が調理器具を加熱する火炎の一部に晒されるように燃料電池を位置調整する。この燃料電池には、起電力が発現し、装着部材によって調理器具に装着された照明具を発光させる。かかる照明具の発光によって調理器具内が照明され、調理人は調理器具内の加熱状態を観察できる。
この様に、本発明に係る調理器具用照明装置は、調理器具を加熱する火炎の一部を燃料電池の加熱源及び燃料源として用いるため、軽量で且つ移動可能であって、装着部材によって調理器具に容易に装着可能である。このため、本発明に係る調理器具用照明装置は、電力供給が停止されている場合、例えばキャンプ等のアウトドア或いは地震等の非常時にも用いることができる。
【発明を実施するための最良の形態】
【０００７】
本発明に係る調理器具用照明装置の一例を図１に示す。ガスコンロ１０に調理器具としての鍋１４が掛けられており、鍋１４はガスコンロ１０に点火された火炎１２によって加熱されている。
かかる鍋１４の縁にフック部１６ａが掛けられて、装着部材１６が鍋１４に装着されている。この装着部材１６は、棒状部１６ｂの途中にフック部１６ａが形成されているため、フック部１６ａを鍋１４の縁に掛けられることによって、装着部材１６を鍋１４に着脱自在に装着できる。
かかる装着部材１６の棒状部１６ｂには、その上端部から突出するリード線１８の先端部に照明具としてのＬＥＤ２０が、鍋１４内を照明するように設けられている。このリード線１８を曲折して、ＬＥＤ２０からの光によって鍋１４内が照明されるようにＬＥＤ２０の位置等を調整してもよい。
この棒状部１６ｂの下端部から突出する位置調整部材を兼ねるリード線２２の下端部に燃料電池２４が設けられている。この燃料電池２４は、火炎１２の一部に燃料電池２４のアノード層が晒されるように、リード線２２によって位置調整する。
図１に示すリード線１８，２２は、棒状部１６ｂに挿通して燃料電池２４とＬＥＤ２０とを電気的に接続するリード線の一部であって、曲折された所定形状を保形できる銅線等の金属配線から成るリード線が用いられている。このリード線１８，２２は、互いの接触による短絡を防止するため、表面に絶縁層を形成することが好ましい。
また、リード線２２は火炎１２に近いため、曲折可能なセラミックチューブ内に挿通してもよい。
【０００８】
図１に示す燃料電池２４としては、図２に示す様に、固体電解質層２４ａの一面側に形成されたアノード層２４ｂと固体電解質層２４ａの他面側に形成されたカソード層２４ｃとから構成される。
固体電解質層２４ａは、公知のものを採用できるが、ＹＳＺ（イットリア安定化ジルコニア）、ＳｃＳＺ（スカンジア安定化ジルコニア）、及びこれらにＣｅ、Ａｌ等をドープしたジルコニア系セラミックス、ＳＤＣ（サマリアドープドセリア）、ＳＧＣ（ガドリアドープドセリア）等のセリア系セラミックス、ＬＳＧＭ（ランタンガレート）、酸化ビスマス系セラミックスを好適に採用できる。
また、アノード層２４ｂも、公知のものを採用できるが、ニッケルとイットリア安定化ジルコニア系、スカンジア安定化ジルコニア系又はセリア系（ＳＤＣ、ＧＤＣ、ＹＤＣ等）セラミックとのサーメット、導電性酸化物を主成分（５０重量％以上９９重量％以下）とする焼結体（この導電性酸化物とは、例えばリチウムが固溶された酸化ニッケル等をいう）、或いはこれらに白金族元素やレニウムから成る金属又はその酸化物が１〜１０重量％配合されたものを好適に採用できる。
更に、カソード層２４ｃも、公知のものを採用できるが、ストロンチウム（Ｓｒ）等の周期律表第２族元素が添加されたランタンのマンガン（例えばランタンストロンチウムマンガナイト）、ガリウム又はコバルト酸化化合物（例えばランタンストロンチウムコバルタイト）を好適に採用できる。
【０００９】
かかる固体電解質層２４ａ、アノード層２４ｂ及びカソード層２４ｃは、共に多孔質に形成されている。このため、アノード層２４ｂ側を火炎中或いは火炎の近傍に配置して急激な温度変化を与えても、更に温度差の激しいヒートサイクルに対してもひび割れ等を可及的に少なくできる。従って、燃料電池２４の耐熱衝撃性が向上する。
ところで、固体電解質層２４ａは、通常、アノード層２４ｂ及びカソード層２４ｃよりも厚く形成されるため、その気孔率を１０％以上、特に２０％以上とすることが、燃料電池２４の耐熱衝撃性の観点から好ましい。
この様な燃料電池２４は、火炎１２中に存在する炭化水素、水素、ラジカル（ＯＨ、ＣＨ、Ｃ２、Ｏ２Ｈ、ＣＨ３）等を燃料として利用し、カソード層２４ｃ側の大気中の酸素との電気化学反応によって起電力を得ることができる。
燃料電池２４内に生じた起電力は、アノード層２４ｂ及びカソード層２４ｃの各々から引き出されたリード線２２ａ，２２ｂによって取り出されて、棒状部１６ｂに挿通されたリード線及びリード線１８を経由してＬＥＤ２０に送電される。
燃料電池２４の起電力によって点灯されたＬＥＤ２０によって、鍋１４内が局所的に照明されるため、調理人は鍋１４内の加熱状況を充分に把握できる。
【００１０】
鍋１４内の加熱が終了したとき、ガスコンロ１０のガスの供給を停止して火炎１２を消火することによって、燃料電池２４内の起電力も消滅してＬＥＤ２０は消灯する。
加熱が終了した鍋１４の縁にフック部１６ａにより装着されている装着部材１６は、フック部１６ａを鍋１４の縁から外すことによって、鍋１４から取り外すことができる。このため、装着部材１６にリード線１８，２２によって設けられた燃料電池２４及びＬＥＤ２０も鍋１４から取り外すことができ、鍋１４を容易に取り扱うことができる。
ところで、鍋１４に装着部材１６が装着され、燃料電池２４及びＬＥＤ２０が所定位置に位置決めされた状態で、鍋１４の内容物の吹きこぼれ等によって火炎１２が消火されたときも、燃料電池２４の起電力が消滅してＬＥＤ２０は消灯する。このため、調理人は、ガスコンロ１０の消火を速やかに知ることができ、ガス中毒やガス爆発を防止すべく、ガスの供給バルブを閉じることができる。
【００１１】
図１では、鍋１４をガスコンロ１０によって加熱しているが、ガスコンロ１０として、燃料ガスが充填されたカセットボンベが内装されているカセットガスコンロを用いることが好ましい。カセットガスコンロによれば、キャンプ等のアウトドアや地震等の非常時の様に、ガス供給のない場所でも、図１に示す調理器具用照明装置を用いることができる。
また、図１及び図２に示す燃料電池２４は、そのアノード層２４ｂ側が火炎１２に晒された際には、急激に温度が昇温される。他方、火炎１２が消火された際には、燃料電池２４が急激に冷却される。
この様に、燃料電池２４には、急激な加熱・冷却が繰り返して加えられるため、アノード層２４ｂやカソード層２４ｃにクラックが発生することがある。かかるクラックが発生しても、アノード層２４ｂ及びカソード層２４ｃの各々が電気的に接続されている限り、電気的には問題ない。
但し、クラックが発生したアノード層２４ｂやカソード層２４ｃでは、その強度が低下して、部分的に欠損部が発生するおそれがある。
この点、図３に示す様に、アノード層２４ｂ及びカソード層２４ｃの各々に金網２６を埋め込むことによって、アノード層２４ｂ及びカソード層２４ｃにクラックが発生しても、アノード層２４ｂ及びカソード層２４ｃの各強度を保持できる。
また、アノード層２４ｂ及びカソード層２４ｃの各々に埋め込まれた金網２６には、リード線２２ａ，２２ｂの各一端を容易に接続できる。
【図面の簡単な説明】
【００１２】
【図１】本発明に係る調理器具用照明装置の一例を説明する説明図である。
【図２】図１に示す燃料電池の一例を説明する断面図である。
【図３】図１に示す燃料電池の他の例を説明する断面図である。
【図４】ランタンの火炎を燃料電池の加熱源及び燃料源として発電する発電装置を説明する説明図である。
【符号の説明】
【００１３】
１０  ガスコンロ
１２  火炎
１４  鍋
１６  装着部材
１６ａ  フック部
１６ｂ  棒状部
１８，２２  リード線
２４  燃料電池
２４ａ  固体電解質層
２４ｂ  アノード層
２４ｃ  カソード層
２６  金網
【図１】
2008177063.tif 000003
【図２】
2008177063.tif 000004
【図３】
2008177063.tif 000005
【図４】
2008177063.tif 000006